【手続補正書】
【提出日】平成18年7月19日(2006.7.19)
【手続補正１】
【補正対象書類名】明細書
【補正対象項目名】特許請求の範囲
【補正方法】変更
【補正の内容】
【特許請求の範囲】
【請求項１】  ＸＹ面および前記ＸＹ面に垂直なＺ方向を有する多プライ食品容器であって、第１の部分と前記第１の部分から前記Ｚ方向に間隔を置いて配置された第２の部分とを備え、前記第１の部分が、前記第２の部分よりも多数のプライを備えてなる食品容器。
【請求項２】  前記第２の部分が、前記第１の部分の周りを囲う、請求項１に記載の食品容器。
【請求項３】  前記第１の部分が、第１のプライおよび第２のプライからなる２枚のプライを備える、請求項１および２のいずれか１項に記載の食品容器。
【請求項４】  前記第１の部分の前記２枚のプライの少なくとも１枚が、波形部付き貼り合わせ体を備える請求項１、２および３のいずれか１項に記載の食品容器。
【請求項５】  前記第１の部分および前記第２の部分が、合同形であり、前記第２の部分が、前記第１の部分に対して環状である、請求項１、２、３および４のいずれか１項に記載の食品容器。
【請求項６】  第１のプライ、第２のプライおよび第３のプライを備え、前記第１のプライ、第２のプライおよび第３のプライが、前記第２のプライが前記第１のプライと前記第３のプライとの中間に位置するように面同士を向き合わせて接合されており、前記食品容器の前記第２の部分が、前記第２のプライを有せず、前記第３のプライおよび前記第１のプライが、互いに同じ大きさからなる、請求項１、２、３、４および５のいずれか1項に記載の食品容器。
【請求項７】  前記第１のプライおよび前記第２のプライの各々が、波形構造体を有する波形部付き貼り合わせ体を備え、前記第２のプライの前記波形構造が、前記第１のプライの前記波形構造に垂直である、請求項６に記載の食品容器。
【請求項８】  第１のプライおよび第２のプライを準備する工程と、ここで、前記第１のプライが、前記第２のプライよりも大きいと共に前記第２のプライから分離可能であり、前記プライの各々が、ＸＹ面及び前記ＸＹ面に垂直なＺ方向を有し、
１対の組み合うプラテンを準備する工程と、ここで、前記組み合うプラテンの少なくとも一方のプラテンが、他方のプラテンに対して前記Ｚ方向に移動可能であり、
前記第１のプライと前記第２のプライとを面同士を向き合わせて近接配置する工程と、これにより前記第１のプライが、前記第２のプライの周りを囲み、
前記プライの各々を前記組み合うプラテン間に挿入する工程と、
前記プラテンを共にＺ方向に近づけ、前記プライの各々を組み合わせると共に前記Ｚ方向に間隔を置いて配置される第１の部分および第２の部分を備えた多プライ食品容器を形成する工程と、ここで、前記第１のプライの少なくとも一部が、前記第１の部分に配置され、かつ前記第２の部分の少なくとも一部が、前記第２のプライを有せず、前記第１のプライおよび前記第２のプライが、面同士を向き合わせて接合され、
を含む多プライ食品容器の製造方法。
【請求項９】  前記プライの各々が、前記プラテンの間に挿入される前に面同士を向き合わせて接合される、請求項８に記載の方法。
【請求項１０】  前記プライの各々が、前記のプラテンを共に近づける工程で面同士を向き合わせて接合される、請求項８に記載の方法。
【手続補正２】
【補正対象書類名】明細書
【補正対象項目名】０００１
【補正方法】変更
【補正の内容】
【０００１】
本発明は、食品容器、特に、多プライ(以下、多層ともいう。)食品容器に関する。
【手続補正３】
【補正対象書類名】明細書
【補正対象項目名】０００４
【補正方法】変更
【補正の内容】
【０００４】
このブランク材は、典型的には、上述した特許明細書に示されるように、ペーパボード、特に、一枚のペーパボードからなる。ブランク材をただ平面だけでない形状に成形するにはブランク材が薄く、１つのプライでなければならないという、信念からペーパボードは一枚のペーパボードが利用されている。ブランク材用に使用されるこのペーパボードは、典型的には、マルクスらに付与された１９８８年１月２６日発行の米国特許第４，７２１，４９９号明細書に示されるように、実質的に均質である。均質性は皿およびボウルのような円形食品容器を半径方向に対称に成形するのに役立つ。
【手続補正４】
【補正対象書類名】明細書
【補正対象項目名】０００８
【補正方法】変更
【補正の内容】
【０００８】
従来技術における別の試みでは、多プライを貼り合わせた（以下、積層したともいう。）食品容器を使用している。この試みの一つはニヤーリィに付与された１９８６年１１月２６日発行の米国特許第５，５７７，９８９号明細書に示されるように、片面波形部付き材料を使用している。ニヤーリィは工業的方法では２枚以上のプライからなる、波形部付きペーパボードをスタンプ加工で満足の行く単一構造に形成することはできないと認めている。しかしながら、ニヤーリィの構造は食品容器の平面部を選択的に強化することができない。
【手続補正５】
【補正対象書類名】明細書
【補正対象項目名】００１３
【補正方法】変更
【補正の内容】
【００１３】
この食品容器１０は少なくとも２つの層、すなわち、第１の層２２および第２の層２４から構成される。第２の層２４は第１の層２２よりも小さく、この結果、食品容器１０の少なくとも一部に第２の層２４が存在しない。第２の層２４と第１の層２２とは同心である。これに代わる実施例（図示せず）では、食品容器１０は３層ないしそれ以上の数の層で構成してもよいと認めることができる。
【手続補正６】
【補正対象書類名】明細書
【補正対象項目名】００１６
【補正方法】変更
【補正の内容】
【００１６】
本発明に従う食品容器１０は剛さのあるいずれかの材料、特に、保存、調理、分配、食事用食品における意図した用途に備える材料を用いて製造することができる。この食品容器１０は密で堅い漂白亜硫酸塩パルプ製ペーパボードおよびリサイクル繊維を含む、多様な種類の木質繊維のような、セルロースを用いて製造することができる。これに代わるものでは、食品容器１０に適する剛性の高い材料はフォーム、プラスチックおよび他の合成材料ならびにアルミフォイルを含む。
【手続補正７】
【補正対象書類名】明細書
【補正対象項目名】００１７
【補正方法】変更
【補正の内容】
【００１７】
当業者は第１の層２２および第２の層２４が同一の材料を用いて製造する必要がないことを認める。第１の層２２は無菌で、好ましくは、消費者に美観的に満足を与える必要がある。しかしながら、第２の層２４はこのような材料上の制限はない。この第２の層２４は強度、断熱特性およびコスト削減を意図して選ぶことができる。
【手続補正８】
【補正対象書類名】明細書
【補正対象項目名】００２６
【補正方法】変更
【補正の内容】
【００２６】
この食品容器１０は多プライ貼り合わせ体（以下、多層積層体ともいう。）から構成される。この積層体は、好ましくは、少なくとも２層、第１の層２２および第２の層２４からなる。しかしながら、２層よりも多数の層からなる構造も予定しており、本発明の範囲に包含される。
【手続補正９】
【補正対象書類名】明細書
【補正対象項目名】００２９
【補正方法】変更
【補正の内容】
【００２９】
第２の層２４は、好ましくは、第１および第２の層２２、２４の部分がＺ方向に互いに間隔を離すように、第１の層２２に対して不連続に接合している。この配置により空気またはフォームのような別の断熱材料を第１の層２２と第２の層２４との間に介在させることができる。
【手続補正１０】
【補正対象書類名】明細書
【補正対象項目名】００３０
【補正方法】変更
【補正の内容】
【００３０】
好ましくは、食品容器１０の第１および第２の層２２、２４の少なくとも１つは、この技術分野でよく知られるように、波形部付き貼り合わせ体(以下、波形積層体ともいう。)から構成される。この波形積層体は比較的平坦なライナーボードに接合される波形付き材料を含む。波形付き材料は、交互に、平坦なライナーボードに接合されるとともにこれから間隔を離して配置されるトラフおよびリブを有する。このリブおよびトラフは、しばしば、直線状で、平行であるが、正弦波状であってもよい。
【手続補正１１】
【補正対象書類名】明細書
【補正対象項目名】００３２
【補正方法】変更
【補正の内容】
【００３２】
特に好ましい波形付き材料は波状フルートを有する。波状フルートからなる波形付き材料はＸおよびＹ方向の双方と平行なベクトル成分を有する波形構造（以下、波構造ともいう。）３２を備える。この配置はＸおよびＹ方向にほぼ同等の特性を有する貼り合わせ体を与えることができる。特に普及している波状フルートを有する波形付き材料は正弦波様式に近い波形構造３２を備える。これに適する波形付き材料はＡからＮサイズ・フルートまでにわたっており、ＥからＮサイズ・フルートまでが好ましい。
【手続補正１２】
【補正対象書類名】明細書
【補正対象項目名】００３６
【補正方法】変更
【補正の内容】
【００３６】
重要なこととして、少なくとも第１の層２２が波形積層体からなる場合、食品容器１０を製造する本発明方法では、湿分を加えることなく、組み合うプラテンがブランク材をＺ方向に成形する。外気に含まれる湿分を上回る湿分の添加はＺ方向に成形する間、波形積層体のブランク材の引っ張り側に引き裂きを生じる傾向がある。したがって、本発明に従う方法はニヤーリィに付与された米国特許第５，５５７，９８９号明細書に示されるような、従来技術の教示するところと反対に、添加する湿分のない状態で実施することが好ましい。しかし、第１の層２２が密で堅い亜硫酸塩漂白ブランク材からなる場合、製造中、湿分を添加することができる。
【手続補正１３】
【補正対象書類名】明細書
【補正対象項目名】００４２
【補正方法】変更
【補正の内容】
【００４２】
なお一層好ましい実施例において、型プラテンを偏心側壁間隙を保って準備する。波構造３２のリブに垂直である、この側壁間隙は波構造３２のリブと平行である側壁間隙よりも大きい。また、偏心量は円形食品容器１０を成形するプラテンの隣接する四分円間で連続的に徐々に変化する。１平方メートルあたり１００グラムから１，０００グラムの坪量を有する３プライ貼り合わせ体の波形部付き材料を用いて製造される、ここに説明される実施例の場合、この間隙は約０．２５４ｍｍ（０．０１インチ）から約１．２７ｍｍ（０．０５インチ）までの最小値より約０．７６２ｍｍ（０．０３インチ）から約２．２８６ｍｍ（０．０９インチ）までの最大値に変化する。
【手続補正１４】
【補正対象書類名】明細書
【補正対象項目名】００５０
【補正方法】変更
【補正の内容】
【００５０】
この工程では、第２の層２４は第１の層２２と接する第２の層２４の部分に塗る接着剤を有する。たとえば、第２の層２４に片面波形積層体を選ぶとすれば、波構造３２を構成するリブの山頂部分に接着剤を塗布する。もちろん、波構造３２が各々山頂に塗る接着剤を有する必要はない。たとえば、望ましい最終用途に要求される積層強度に応じて波構造３２に１つ置き、または波構造３２の周辺部分だけに接着剤を塗布することができる。これに代わるものでは、たとえば、特に、第２の層２４に両面波形積層体または密で堅いボード材を選択したときは、第１の層２２と向き合い、それと接合される第２の層２４の全面に接着剤を塗布してもよい。これに適する接着剤は感圧性で、でんぷんベースの接着剤を含む。
【手続補正１５】
【補正対象書類名】明細書
【補正対象項目名】００５４
【補正方法】変更
【補正の内容】
【００５４】
本発明に従い製作した直径２２．８６ｃｍ（９インチ）の２個の食品容器１０および従来技術によって製作した直径２２．８６ｃｍ（９インチ）の２個の対照食品容器１０について重量および剛性を試験した。試料Ａは中央域１４でプラテン間の間隙１．６５１ｍｍ（０．０６５インチ）、周辺域１６の間隙０．７１１ｍｍ（０．０２８インチ）を保って製作した。試料Ｂは同じ型を用いて製作し、中央域でプラテン間の間隙１．９０５ｍｍ（０．０７５インチ）に調節し、周辺域では間隙０．４５７ｍｍ（０．０１８インチ）に保ち、シムを使用した。双方の対照食品容器１０は１平方メートルあたり約２８０グラムの坪量および約０．８８９ｍｍ（０．０３５インチ）の厚さを有する、３レイヤー（layer）基材の片面波形部付き貼り合わせ体からなる。本発明に従う食品容器１０を構成する試料Ａおよび試料Ｂは対照試料Ａおよび対照試料Ｂのプラテン間隙に従って製作した。
【手続補正１６】
【補正対象書類名】明細書
【補正対象項目名】００５５
【補正方法】変更
【補正の内容】
【００５５】
本発明に従う食品容器１０は対照試料と同一の両面波形積層体からなる第１の層２２を利用し、１平方メートルあたり約３８５グラムの坪量および約１．３９７ｍｍ（０．０５５インチ）の厚さを有する、片面波形積層体で製作した第２の層２４を備えるようした。第２の層２４を構成する片面波形積層体の波構造部３２を３Ｍスーパー７７多目的スプレー接着剤と共に吹き付け、波構造部３２を上方に向けながら、上に向く凹形プラテンに置いた。この後、第１の層２２を２つのプラテン間に置いた。２つのプラテンを接近させ、第２の層２４を第１の層２２と接合させて食品容器１０を形成した。第２の層２４は第１の層２２の下側に接し、波形付き材料が第１の層２２と接合され、この結果、第２の層２４を構成するライナーボードは食品容器１０の凸面から外側に向けられた。
【手続補正１７】
【補正対象書類名】明細書
【補正対象項目名】００６５
【補正方法】変更
【補正の内容】
【００６５】
さらに、これに代わる別の実施例では、食品容器１０は３層で構成してもよい。第１の層２２は密で堅い漂白亜硫酸塩ハルプ製材料からなる単一レイヤー（layer）で構成する。第２の層２４はフォーム材である。第２の層２４は食品容器１０の中央域１４に大きさを合わせて制限する。密で堅い漂白亜硫酸塩ハルプ製材料からなる第３の層は第２の層２４の下側に接して第１の層２２と同じ大きさを保って追加する。この実施例では、第２の層２４は第１の層２２と第３の層との間に挟まれる。この実施例では、第２の層２４については第１の層２２または第３の層のいずれかを貫く孔がない限り、使用中、みることができない。